(57)【要約】【課題】  便座を使用しない時の待機電力を削減する事を目的とするものである。【解決手段】  本体ケースに、便座とこの便座を被覆する便蓋とを開閉自在に枢支すると共に、本体ケースに、人体の局部に向けて洗浄水を噴射する洗浄ノズルと、この洗浄ノズルへ洗浄水を供給する給水手段と、洗浄水を加熱する温水ヒータと、この温水ヒータや給水手段等を制御する制御手段を設けたものにおいて、この制御手段への電源回路に便蓋の開閉に連動する便蓋スイッチを直列接続すると共に、この便蓋スイッチに自己保持用のリレー接点を並列接続し、かつ制御手段を、便蓋スイッチが開いてから所定時間後にリレー接点を開く様に構成して成る。【選択図】        図３
2006274568.tif 000002
【特許請求の範囲】
【請求項１】
本体ケースに、便座とこの便座を被覆する便蓋とを開閉自在に枢支すると共に、上記本体ケースに、人体の局部に向けて洗浄水を噴射する洗浄ノズルと、この洗浄ノズルへ洗浄水を供給する給水手段と、上記洗浄水を加熱する温水ヒータと、この温水ヒータや給水手段等を制御する制御手段を設けたものにおいて、この制御手段への電源回路に上記便蓋の開閉に連動する便蓋スイッチを直列接続すると共に、この便蓋スイッチに自己保持用のリレー接点を並列接続し、かつ上記制御手段を、便蓋スイッチが開いてから所定時間後に上記リレー接点を開く様に構成した事を特徴とする衛生洗浄便座。
【請求項２】
上記便座内に便座ヒータを内蔵すると共に、この便座ヒータを面状ヒータで構成した事を特徴とする、上記請求項１に記載の衛生洗浄便座。
【請求項３】
上記本体ケース内に脱臭機構を配設すると共に、この脱臭機構の脱臭ファンを上記リレー接点に直列接続した事を特徴とする、上記請求項１〜２に記載の衛生洗浄便座。
【請求項４】
上記洗浄水を加熱する温水ヒータ部分を瞬間式の熱交換器により構成した事を特徴とする、上記請求項１〜３に記載の衛生洗浄便座。
【発明の詳細な説明】
【技術分野】
【０００１】
本発明は、主に洋式便器に装着して使用され、便座に着座した人体の肛門等の局部に向けて洗浄水を噴出する洗浄ノズルを備えた衛生洗浄便座に関する。
【背景技術】
【０００２】
肛門等の局部に向けて洗浄水を噴出する洗浄ノズルを備えた衛生洗浄便座では、不使用時の待機電力の消費が問題となり、例えば特許文献１に示される様に、過去の使用状態を記憶し、記憶した使用状況に応じて使用頻度の少ない時間帯は通電を停止する様に構成したものがある。
【特許文献１】特開２００２−２９４８１３号公報
【発明の開示】
【発明が解決しようとする課題】
【０００３】
然しながら、過去の使用状況の記憶に際しては、その記憶期間に応じてメモリ等の記憶素子の容量が多くなり、コストアップを招くという問題がある。又、使用状況に応じて通電を停止する時間帯を設定する算出に際しても、不規則に使用されるケースもあり、算出基準の設定が複雑となり、場合によっては効果が得られない場合も考えられる。
【０００４】
そこで本発明は、比較的簡単な構成にて、より確実に不使用時の消費電力を低減する事を目的とするものである。
【課題を解決するための手段】
【０００５】
本発明の請求項１の構成は、本体ケースに、便座とこの便座を被覆する便蓋とを開閉自在に枢支すると共に、本体ケースに、人体の局部に向けて洗浄水を噴射する洗浄ノズルと、この洗浄ノズルへ洗浄水を供給する給水手段と、洗浄水を加熱する温水ヒータと、この温水ヒータや給水手段等を制御する制御手段を設けたものにおいて、この制御手段への電源回路に便蓋の開閉に連動する便蓋スイッチを直列接続すると共に、この便蓋スイッチに自己保持用のリレー接点を並列接続し、かつ制御手段を、便蓋スイッチが開いてから所定時間後にリレー接点を開く様に構成したものである。
【０００６】
本発明の請求項２の構成は、請求項１の構成において、便座内に便座ヒータを内蔵すると共に、この便座ヒータを面状ヒータで構成して成るものである。
【０００７】
本発明の請求項３の構成は、請求項１〜請求項２の構成において、本体ケース内に脱臭機構を配設すると共に、この脱臭機構の脱臭ファンをリレー接点に直列接続したものである。
【０００８】
本発明の請求項４の構成は、請求項１〜請求項３の構成において、洗浄水を加熱する温水ヒータ部分を瞬間式の熱交換器により構成したものである。
【発明の効果】
【０００９】
本発明の請求項１に記載の構成により、不使用時には便蓋を閉じることで、これを便蓋スイッチにて検出し、便蓋が閉じられると、閉じられてから所定時間後にリレー接点を開いて制御手段等への通電を停止する様に構成したことで、便蓋が閉じられて使用しない場合には、制御回路等への通電を停止して節電を行う事が出来るものである。
【００１０】
本発明の請求項２に記載の構成により、請求項１の構成において、便座に内蔵した便座用ヒータを面状ヒータで構成することで、便蓋を開いて便座用ヒータに通電を開始してから便座の表面が加熱される迄の時間を短縮し、着座する人の使用感を向上する事が出来るものである。
【００１１】
本発明の請求項３に記載の構成により、脱臭機構の脱臭ファンをリレー接点に直列接続したことで、脱臭ファン制御用のスイッチング素子が不要となり、部品点数の削減によるコストダウンを図る事が出来るものである。
【００１２】
本発明の請求項４に記載の構成により、洗浄水を加熱するヒータ部分を瞬間式の熱交換器にて構成したことで、長時間便座を使用しない場合でも、温水にておしりを洗浄する事が出来るものである。
【発明を実施するための最良の形態】
【００１３】
本発明の実施例を先ず図１及び図２に基づき説明すると、１は洋式便器２の上に着脱自在或いは着脱可能に載置された衛生洗浄便座で、本体ケース３に便座４と便蓋５とを上下方向に開閉自在に枢支している。
【００１４】
又、上記本体ケース３内には、上記便座４に着座した人体の局部に向けて洗浄水を噴出する洗浄ノズル６を伸縮自在に収納配置していると共に、この洗浄ノズルに洗浄用の温水を供給する温水タンク７や、洗浄ノズル６からの温水の噴出を制御するバルブ８、このバルブを制御する制御手段９、脱臭機構１０等を内蔵している。
【００１５】
更に上記本体ケース３の一方の側面には給水管１１を突設し、この給水管にフレキシブルな配管ホース１２を接続していると共に、この配管ホースは、分岐水栓１３を介して市水等の水道管１４に接続している。
【００１６】
又、上記本体ケース３の一方の側面には、前方が上記便座４の側面に沿って延設された操作部１５を一体的に形成し、この操作部の上面には操作パネル１６を配置している。
【００１７】
図３は上記制御手段９を構成する回路図を示すもので、商用電源２０に上記便蓋５の開閉に連動し、便蓋が開くと切片２１を閉じ便蓋が閉じると切片２１を開く便蓋スイッチ２２を介して制御回路２３を接続していると共に、上記便蓋スイッチ２２には制御回路２３の出力により開閉する自己保持用のリレー接点２４を並列接続している。
【００１８】
又、上記制御回路２３は、例えばマイクロコンピュータにて構成し、その入力回路に上記便座４への人体の着座を検出する着座スイッチ２５と各種データを記憶するメモリ２６を接続し、このメモリは電源を供給しなくてもデータを記憶する不揮発性メモリにて構成している。
【００１９】
更に上記商用電源２０には、上記制御回路２３の出力により各々制御されるスイッチング素子２７，２８，２９，３０を介して便座ヒータ３１、温水ヒータ３２、脱臭ファン３３、給水手段となる上記洗浄バルブ８を接続している。
【００２０】
尚、上記便座ヒータ３１は便座４内に内蔵されて便座の表面を設定温度（例えば３０℃〜４１℃）に加熱し、温水ヒータ３２は上記温水タンク７内に内蔵されてこの温水タンク内に貯水された水を設定温度（例えば３５℃〜４１℃）に加熱し、脱臭ファン３３は上記脱臭機構１０に内蔵され上記洋式便器２内の空気を脱臭剤に循環して脱臭し、洗浄バルブ８は上記洗浄ノズル６からの洗浄水の噴出を制御するものである。
【００２１】
而して、便蓋５が閉じた状態では、上記の図３にて示す様に便蓋スイッチ２２が開いている為制御回路２３に通電されず、全てのヒータや回路部品には通電されない。
【００２２】
そこで、例えば図４のＴ１にて便蓋５が開かれると、図５にても示す様に便蓋スイッチ２２が閉じて制御回路２３に通電され、これにより制御回路の出力にてリレー接点２４が閉じると共に、スイッチング素子２７，２８，２９，３０をオンして便座ヒータ３１、温水ヒータ３２、脱臭ファン３３に通電する。
【００２３】
この時制御回路２３は、通電開始と同時にメモリ２６から各種データを取り込み、予め設定された便座温度や温水温度に応じて便座ヒータ３１や温水ヒータ３２への電力を制御し、これらを設定温度に調整する。
【００２４】
又、図４中のＴ２にて着座スイッチ２５がオンして便座４への着座を検出した後、Ｔ３にて操作パネル１６の例えばおしりスイッチ３５がオン操作されると、洗浄バルブ８を制御して洗浄ノズル６から洗浄水を噴射し、Ｔ４にて停止スイッチ３６がオン操作されると洗浄ノズル６からの噴射を停止する。
【００２５】
次いで、Ｔ５にて人体が便座４から立ち上がって着座スイッチ２５がオフすると、スイッチング素子２７，２８をオフして便座ヒータ３１や温水ヒータ３２への通電を停止し、その後Ｔ６にて便蓋５が閉じられて図６に示す様に便蓋スイッチ２２がオフすると、リレー接点２４を通じて制御回路２３に通電し、この制御回路は、便蓋スイッチ２２が閉じてから所定時間（例えば１分）の間スイッチング素子２９をオンして脱臭ファン３３のみに通電して脱臭した後、Ｔ７にてリレー接点２４への通電を停止して全ての回路への通電を停止する。
【００２６】
これらの構成により、便蓋５が閉じている場合には全ての回路部品への通電を停止することで、衛生洗浄便座１を使用しない場合の消費電力を削減し、大幅に所謂待機時の消費電力を低減する事が出来るものである。
【００２７】
尚、上記実施例では、着座スイッチ２５がオフすると便座ヒータ３１や温水ヒータ３２への通電を停止する様に構成しているが、これに限定されることなく、着座スイッチ２５がオフした後所定時間はこれらヒータへの通電を継続したり、便蓋スイッチ２２がオフすると通電を停止する様に構成しても良く、これにより一度立ち上がった後、再度着座した場合の便座４温度や温水温度の低下による不快感を防止できるものである。
【００２８】
更に上記実施例では、便蓋スイッチ２２がオフすると脱臭ファン３３のみ所定時間運転を継続する様に構成しているが、これに限定されることなく、便蓋スイッチ２２がオフした後所定時間は便座ヒータ３１や温水ヒータ３２への通電を継続したり、気温を検出し、気温が低い場合のみこれらヒータへの通電を継続する様に構成しても良く、これにより、前の人が使用した短時間後に次の人が使用した場合には、便座４温度や温水温度を設定温度に維持し、快適に使用する事ができるものである。
【００２９】
図７は本発明の他の実施例を示すもので、上記リレー接点２４に脱臭ファン３３を直列接続しており、これにより、脱臭ファン３３制御用のスイッチング素子２９が不要になるものである。
【００３０】
又、上記便座ヒータ３１に、通電から短時間に温度が上昇する半導体ヒータ等の面状ヒータを使用することで、便蓋スイッチ２２がオンしてから便座４に着座する迄の短時間の間に便座４を加熱し、使用感を向上する事が出来る。尚、上記便蓋スイッチ２２は、便蓋５の開き始めにオンする様に構成、或いは衛生洗浄便座１に人体が接近するとオンする様に構成することで、便座４表面や洗浄用の温水温度の上昇を早め、使用感を向上できるものである。
【００３１】
更に、上記実施例では温水タンク７内に温水ヒータ３２を内蔵した貯湯式を用いているが、例えば銅や真鍮等の熱伝導率金属で構成した通水管の周囲に電気ヒータを巻いて構成した所謂瞬間加熱式の熱交換器により構成しても良く、これにより、便座４に着座してから短時間後に洗浄操作が行われて洗浄ノズル６から洗浄水を噴射しても、冷水の噴出を極力防止して使用感を向上する事が出来るものである。
【図面の簡単な説明】
【００３２】
【図１】本発明の実施例を示す斜視図である。
【図２】同じく要部の側面縦断面図である。
【図３】同じく制御手段の実施例を示す回路図である。
【図４】同じく制御手段の動作を示すタイムチャートである。
【図５】同じく制御手段の動作を示す回路図である。
【図６】同じく制御手段の動作を示す回路図である。
【図７】同じく制御手段の他の実施例を示す回路図である。
【符号の説明】
【００３３】
３    本体ケース
４    便座
５    便蓋
６    洗浄ノズル
８    洗浄バルブ（給水手段）
９    制御手段
１０  脱臭機構
２２  便蓋スイッチ
２４  リレー接点
３１  便座ヒータ
３２  温水ヒータ
３３  脱臭ファン
【図１】
2006274568.tif 000003
【図２】
2006274568.tif 000004
【図３】
2006274568.tif 000005
【図４】
2006274568.tif 000006
【図５】
2006274568.tif 000007
【図６】
2006274568.tif 000008
【図７】
2006274568.tif 000009